【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
撮像手段と、
この撮像手段によって撮像された画像を表示する表示手段と、
この表示手段の画面上に枠を表示するよう制御する第１の表示制御手段と、
前記表示手段に表示されている画像のうち前記第１の表示制御手段によって表示された枠の内側に表示される画像に対応する第１の画素数からなる第１の画像データを所定の画質で、前記第１の画素数よりも多い第２の画素数からなる第２の画像データを前記所定の画質よりも低い画質で保存するよう制御する制御手段と、
を備えることを特徴とする撮像装置。
【請求項２】
前記枠を移動させる移動手段を更に備えたことを特徴とする請求項１に記載の撮像装置。
【請求項３】
前記枠の大きさを変更させる変更手段を更に備えたことを特徴とする請求項１又は２に記載の撮像装置。
【請求項４】
前記第１の表示制御手段は更に、表示される画像のうち前記枠内に表示される画像と前記枠外に表示される画像とを識別可能に表示するよう制御することを特徴とする請求項１乃至３の何れかに記載の撮像装置。
【請求項５】
前記保存手段によって保存された前記第１の画像データ前記表示手段に表示させる際、この第１の画像データを前記所定の画質に合わせて補間する補間手段と、
前記補間手段によって補間された第１の画像データに前記第２の画像データを合成する合成手段と、
この合成手段によって合成された画像データに基づく画像を前記表示手段に表示するよう制御する第２の表示制御手段と、
を更に備えることを特徴とする請求項１乃至４の何れかに記載の撮像装置。
【請求項６】
電子撮像部にて撮像される画像を画像表示部に表示させる際、この画面上に枠を表示するよう制御する表示制御ステップと、
この表示制御ステップにて前記画像表示部に表示されている画像のうち前記枠の内側に表示される画像に対応する第１の画素数からなる第１の画像データを所定の画質で、前記第１の画素数よりも多い第２の画素数からなる第２の画像データを前記所定の画質よりも低い画質で保存させる保存ステップと、
を含むことを特徴とする画像データの保存方法。
【請求項７】
電子撮像部、画像表示部、及び、メモリを具備する撮像装置が有するコンピュータを、
前記電子撮像部にて撮像される画像を前記画像表示部に表示させる際、画面上に枠を表示するよう制御する表示制御手段、
この表示制御手段によって前記画像表示部に表示されている画像のうち前記枠の内側に表示される画像に対応する第１の画素数からなる第１の画像データを所定の画質で、前記第１の画素数よりも多い第２の画素数からなる第２の画像データを前記所定の画質よりも低い画質で前記メモリに保存させる保存手段、
として機能させることを特徴とする画像データ保存プログラム。
【手続補正２】
【補正対象書類名】明細書
【補正対象項目名】発明の名称
【補正方法】変更
【補正の内容】
【発明の名称】撮像装置、画像データの保存方法、及び、画像データ保存プログラム
【手続補正３】
【補正対象書類名】明細書
【補正対象項目名】０００１
【補正方法】変更
【補正の内容】
【０００１】
本発明はデジタルカメラなどの撮像装置、画像データの保存方法、及び、画像データ保存プログラムに関するものである。
【手続補正４】
【補正対象書類名】明細書
【補正対象項目名】０００６
【補正方法】変更
【補正の内容】
【０００６】
本発明は上記事情に鑑みて成されたもので、モニタに撮影画像を表示し、その上に所定サイズの枠を表示させ、枠の中の画像は高画質で保存し、枠の外の画像は相対的に低画質で保存するようにしたものである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項１に記載の発明は、撮像手段と、この撮像手段によって撮像された画像を表示する表示手段と、この表示手段の画面上に枠を表示するよう制御する第１の表示制御手段と、前記表示手段に表示されている画像のうち前記第１の表示制御手段によって表示された枠の内側に表示される画像に対応する第１の画素数からなる第１の画像データを所定の画質で、前記第１の画素数よりも多い第２の画素数からなる第２の画像データを前記所定の画質よりも低い画質で保存するよう制御する制御手段と、を備えることを特徴とする。
【手続補正７】
【補正対象書類名】明細書
【補正対象項目名】０００９
【補正方法】変更
【補正の内容】
【０００９】
請求項２に記載の発明は、上記請求項１に記載の発明において、前記枠を移動させる移動手段を更に備えたことを特徴とする。
【手続補正８】
【補正対象書類名】明細書
【補正対象項目名】００１０
【補正方法】変更
【補正の内容】
【００１０】
請求項３に記載の発明は、上記請求項１又は２に記載の発明において、前記枠の大きさを変更させる変更手段を更に備えたことを特徴とする。
【手続補正９】
【補正対象書類名】明細書
【補正対象項目名】００１１
【補正方法】変更
【補正の内容】
【００１１】
請求項４に記載の発明は、上記請求項１乃至３の何れかに記載の発明において、前記第１の表示制御手段は更に、表示される画像のうち前記枠内に表示される画像と前記枠外に表示される画像とを識別可能に表示するよう制御することを特徴とする。
【手続補正１０】
【補正対象書類名】明細書
【補正対象項目名】００１２
【補正方法】変更
【補正の内容】
【００１２】
請求項５に記載の発明は、上記請求項１乃至４の何れかに記載の発明において、前記保存手段によって保存された前記第１の画像データ前記表示手段に表示させる際、この第１の画像データを前記所定の画質に合わせて補間する補間手段と、前記補間手段によって補間された第１の画像データに前記第２の画像データを合成する合成手段と、この合成手段によって合成された画像データに基づく画像を前記表示手段に表示するよう制御する第２の表示制御手段と、を更に備えることを特徴とする。
【手続補正１１】
【補正対象書類名】明細書
【補正対象項目名】００１３
【補正方法】変更
【補正の内容】
【００１３】
請求項６に記載の発明は、電子撮像部にて撮像される画像を画像表示部に表示させる際、この画面上に枠を表示するよう制御する表示制御ステップと、この表示制御ステップにて前記画像表示部に表示されている画像のうち前記枠の内側に表示される画像に対応する第１の画素数からなる第１の画像データを所定の画質で、前記第１の画素数よりも多い第２の画素数からなる第２の画像データを前記所定の画質よりも低い画質で保存させる保存ステップと、を含むことを特徴とする。
【手続補正１２】
【補正対象書類名】明細書
【補正対象項目名】００１４
【補正方法】変更
【補正の内容】
【００１４】
請求項７に記載の発明は、電子撮像部、画像表示部、及び、メモリを具備する撮像装置が有するコンピュータを、前記電子撮像部にて撮像される画像を前記画像表示部に表示させる際、画面上に枠を表示するよう制御する表示制御手段、この表示制御手段によって前記画像表示部に表示されている画像のうち前記枠の内側に表示される画像に対応する第１の画素数からなる第１の画像データを所定の画質で、前記第１の画素数よりも多い第２の画素数からなる第２の画像データを前記所定の画質よりも低い画質で前記メモリに保存させる保存手段、として機能させることを特徴とする。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
本発明によれば、画像の必要箇所のみを高画質で保存しつつ、多くの画像を記録することができる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】